(57)【特許請求の範囲】
【請求項１】
メディアから与えられた音声信号の低音領域及び高音領域に対する利得調整範囲の切り替えのオンとオフとを切り替えるオンオフ操作が可能なスイッチと、
前記音声信号の低音領域及び高音領域を、前記スイッチのオンオフ操作による利得調整範囲の切り替えのオンオフ状態及び前記メディアの品質に対応する利得調整範囲で利得調整処理した出力レベルで出力する出力手段と、を備え、
前記スイッチのオン操作による利得調整範囲の切り替えのオン状態における、高品質メディアに対応する前記音声信号の低音領域及び高音領域の利得調整範囲の最大値及び最小値は、前記スイッチのオフ操作による利得調整範囲の切り替えのオフ状態における、前記高品質メディアに対応する前記音声信号の低音領域及び高音領域の利得調整範囲の最大値及び最小値よりもそれぞれ大きく、且つ、前記スイッチの操作による利得調整範囲の切り替えのオン状態及びオフ状態における、低品質メディアに対応する前記音声信号の低音領域及び高音領域の利得調整範囲の最大値及び最小値よりもそれぞれ大きいことを特徴とする音声出力装置。
【請求項２】
請求項１記載の音声出力装置において、
前記スイッチのオフ操作による利得調整範囲の切り替えのオフ状態における、前記高品質メディアに対応する前記音声信号の低音領域及び高音領域の利得調整範囲の最大値及び最小値は、前記スイッチのオフ操作による利得調整範囲の切り替えのオフ状態における、前記低品質メディアに対応する前記音声信号の低音領域及び高音領域の利得調整範囲の最大値及び最小値よりもそれぞれ大きいことを特徴とする音声出力装置。
【請求項３】
請求項１または２記載の音声出力装置において、
前記スイッチのオン操作による利得調整範囲の切り替えのオン状態における、前記低品質メディアに対応する前記音声信号の低音領域及び高音領域の利得調整範囲の最大値及び最小値は、前記スイッチのオフ操作による利得調整範囲の切り替えのオフ状態における、前記低品質メディアに対応する前記音声信号の低音領域及び高音領域の利得調整範囲の最大値及び最小値よりもそれぞれ大きいことを特徴とする音声出力装置。
【請求項４】
請求項１〜３のいずれか１項に記載の音声出力装置において、
前記スイッチのオン操作による利得調整範囲の切り替えのオン状態における、前記高品質メディアに対応する前記音声信号の低音領域及び高音領域の利得調整範囲と前記スイッチのオフ操作による利得調整範囲の切り替えのオフ状態における、前記高品質メディアに対応する前記音声信号の低音領域及び高音領域の利得調整範囲との、最大値どうし及び最小値どうしの差は、前記スイッチのオン操作による利得調整範囲の切り替えのオン状態における、前記低品質メディアに対応する前記音声信号の低音領域及び高音領域の利得調整範囲と前記スイッチのオフ操作による利得調整範囲の切り替えのオフ状態における、前記低品質メディアに対応する前記音声信号の低音領域及び高音領域の利得調整範囲との、最大値どうし及び最小値どうしの差よりも大きいことを特徴とする音声出力装置。
【請求項５】
請求項１〜４のいずれか１項に記載の音声出力装置において、
前記スイッチのオフ操作による利得調整範囲の切り替えのオフ状態における、前記高品質メディアに対応する前記音声信号の低音領域及び高音領域の利得調整範囲の中心値のゲインは０ｄＢであることを特徴とする音声出力装置。
【請求項６】
請求項１〜４のいずれか１項に記載の音声出力装置において、
前記スイッチは、前記音声信号の低音領域及び高音領域の出力レベルの調整操作が可能であり、
前記出力手段は、前記調整操作に応じて、前記音声信号の低音領域及び高音領域の出力レベルを調整することを特徴とする音声出力装置。
【請求項７】
メディアから与えられた音声信号の低音領域及び高音領域に対する利得調整範囲の切り替えのオンとオフとを切り替えるオンオフ操作が可能なスイッチの操作及び前記メディアの品質に対応する利得調整範囲で利得調整処理した出力レベルで、前記音声信号を出力する出力ステップを備え、
前記スイッチのオン操作による利得調整範囲の切り替えのオン状態における、高品質メディアに対応する前記音声信号の低音領域及び高音領域の利得調整範囲の最大値及び最小値は、前記スイッチのオフ操作による利得調整範囲の切り替えのオフ状態における、前記高品質メディアに対応する前記音声信号の低音領域及び高音領域の利得調整範囲の最大値及び最小値よりもそれぞれ大きく、且つ、前記スイッチの操作による利得調整範囲の切り替えのオン状態及びオフ状態における、低品質メディアに対応する前記音声信号の低音領域及び高音領域の利得調整範囲の最大値及び最小値よりもそれぞれ大きいことを特徴とする音声出力方法。
【発明の詳細な説明】
【技術分野】
【０００１】
本発明は、音声出力装置及び音声出力方法に関する。
【背景技術】
【０００２】
従来より、オンオフ操作が可能なスイッチを備え、メディア（例えば、ＣＤ（Compact Disc）、ＭＤ（Mini Disc）等）から与えられた音声信号を当該スイッチのオンオフ操作に対応した出力レベルで出力する音声出力装置が知られている（例えば、特許文献１）。当該音声出力装置では、スイッチのオン操作に対応する出力レベルは、スイッチのオフ操作に対応する出力レベルよりも大きい。
【０００３】
したがって、音声出力装置の使用者は、スイッチをオン操作することで、音声出力装置から出力された音声信号を、スイッチがオフ操作された場合よりも正確に聞き取ることが出来る。
【特許文献１】特開平９−１７９５８５号公報
【発明の開示】
【発明が解決しようとする課題】
【０００４】
しかし、従来の技術には、以下の問題点があった。即ち、低品質メディアから与えられた音声信号は、高品質メディアから与えられた音声信号よりもノイズを多く含む。ここで、低品質メディアは、Ｓ／Ｎ比が所定値以下のメディアであり、高品質メディアは、Ｓ／Ｎ比が所定値よりも大きいメディアである。低品質メディアとしては、例えば、ラジオ受信機やテレビ受信機等がある。また、高品質メディアとしては、例えば、ＣＤ、ＭＤ等がある。また、所定値は予め設定される。
【０００５】
したがって、音声出力装置の使用者は、高品質メディアから与えられた音声信号を聞き取る場合、スイッチをオン操作してもノイズを煩わしく感じることなく音声信号を聞き取ることが出来る。しかし、音声出力装置の使用者は、低品質メディアから与えられた音声信号を聞き取る場合、スイッチをオン操作すると、ノイズを煩わしく感じうる。したがって、従来の音声出力装置には、スイッチがオン操作された場合に、音声出力装置の使用者がノイズを煩わしく感じうるという問題点があった。
【０００６】
このような問題点を解決する手段として、音声出力装置の使用者がメディアの品質に応じてスイッチのオンオフ操作を行うことが考えられる。しかし、音声出力装置の使用者にとっては、メディアの品質に応じてスイッチのオンオフ操作を行うのは煩わしく、メディアの品質に応じてどのようにスイッチの操作を行うのかを記憶するのに手間がかかる。
【０００７】
本発明はこのような従来の課題を解決するためになされたものであり、その主に目的とするところは、スイッチのオン操作を継続しても、音声出力装置の使用者が従来よりもノイズを煩わしく感じない音声出力装置及び音声出力方法を提供することである。
【課題を解決するための手段】
【０００８】
上記目的を達成するため、本願特許請求の範囲に記載の発明では、音声出力装置は、メディアから与えられた音声信号を、スイッチの操作及びメディアの品質に対応する出力レベルで出力する。ここで、スイッチのオン操作による利得調整範囲の切り替えのオン状態における、高品質メディアに対応する音声信号の低音領域及び高音領域の利得調整範囲の最大値及び最小値は、スイッチのオフ操作による利得調整範囲の切り替えのオフ状態における、高品質メディアに対応する音声信号の低音領域及び高音領域の利得調整範囲の最大値及び最小値よりもそれぞれ大きく、且つ、スイッチの操作による利得調整範囲の切り替えのオン状態及びオフ状態における、低品質メディアに対応する音声信号の低音領域及び高音領域の利得調整範囲の最大値及び最小値よりもそれぞれ大きい。
【発明の効果】
【０００９】
本願特許請求の範囲に記載の発明では、主に、以下の効果を得ることができる。即ち、本発明では、音声出力装置は、オン操作が行われた場合には、高品質メディアから与えられた音声信号を従来と同様の出力レベルで出力することが出来る一方、低品質メディアから与えられた音声信号を従来よりも低い出力レベルで出力することが出来る。したがって、音声出力装置の使用者は、オン操作を継続する場合であっても、従来よりもノイズを煩わしく感じない。また、音声出力装置は、高品質音声信号を出力する場合には、従来と同様の効果を得ることが出来る。
【発明を実施するための最良の形態】
【００１０】
以下、本発明の実施の形態を図面に基づいて説明する。まず、図１に基づいて、本発明の一実施の形態に係る音声出力装置１の機能を概略的に説明する。ここで、図１は音声出力装置１の構成を示すブロック図である。
【００１１】
音声出力装置１は、図示しない車両に搭載され、スイッチ１０７と、マイコン１０８と、表示部１０９と、ＤＳＰ（Digital signal processor）１１０と、パワーアンプ部１１１と、スピーカ１１６〜１１９を備える。また、音声出力装置１は、各種メディアとして、ＣＤ１０１と、ＭＤ１０２と、ラジオ受信機１０３と、テレビ受信機１０５を備える。したがって、ＣＤ１０１とＭＤ１０２が高品質メディアとなり、ラジオ受信機１０３とテレビ受信機１０５が低品質メディアとなる。また、パワーアンプ部１１１は、パワーアンプ１１２〜１１５を備える。
【００１２】
ＣＤ１０１、ＭＤ１０２は、各種音声信号を記憶する。ラジオ受信機１０３は、アンテナ１０４を備え、当該アンテナ１０４を用いてラジオ信号を受信する。そして、ラジオ受信機１０３は、ＤＳＰ１１０から要求信号を与えられた場合には、当該受信されたラジオ信号から音声信号を抽出してＤＳＰ１１０に出力する。テレビ受信機１０５は、アンテナ１０６を備え、当該アンテナ１０６を用いてテレビ信号を受信する。そして、テレビ受信機１０５は、ＤＳＰ１１０から要求信号を与えられた場合には、当該受信されたテレビ信号から音声信号を抽出してＤＳＰ１１０に出力する。
【００１３】
スイッチ１０７は、オンオフ操作の他、出力レベル調整操作、メディア選択操作、スピーカ１１６〜１１９のバランス調整操作、スピーカ１１６〜１１９の音量調整操作が可能となっており、当該操作の結果に関する操作信号をマイコン１０８に出力する。ここで、出力レベル調整操作は、低音領域及び高音領域における出力レベルのピーク値（具体的には、極大値または極小値）を指定する操作である。ここで、低音領域は、２０（Ｈｚ）以上２５０（Ｈｚ）以下の周波数領域であり、高音領域は、３０００（Ｈｚ）以上２０（ｋＨｚ）以下の周波数領域である。
【００１４】
マイコン１０８は、操作信号に対応する制御信号を表示部１０９及びＤＳＰ１１０に出力する。
【００１５】
表示部１０９は、制御信号に基づいて、スイッチ１０７にてなされた操作の内容を画面表示する。
【００１６】
ＤＳＰ１１０は、制御信号に基づいて、以下の処理を行う。即ち、ＤＳＰ１１０は、ＣＤ１０１を選択する旨のメディア選択操作がなされた場合には、ＣＤ１０１から音声信号を取得し、ＭＤ１０２を選択する旨のメディア選択操作がなされた場合には、ＭＤ１０２から音声信号を取得する。また、ＤＳＰ１１０は、ラジオ受信機１０３を選択する旨のメディア選択操作がなされた場合には、ラジオ受信機１０３に要求信号を出力し、これに応じてラジオ受信機１０３から与えられた音声信号を取得する。また、ＤＳＰ１１０は、テレビ受信機１０５を選択する旨のメディア選択操作がなされた場合には、テレビ受信機１０５に要求信号を出力し、これに応じてテレビ受信機１０５から与えられた音声信号を取得する。なお、以下の説明では、ＣＤ１０１及びＭＤ１０２から与えられた音声信号を高品質音声信号と称し、ラジオ受信機１０３及びテレビ受信機１０５から与えられた音声信号を低品質音声信号と称する。
【００１７】
そして、ＤＳＰ１１０は、取得された音声信号のうち、低音領域及び高音領域の出力レベルを、オンオフ操作、出力レベル調整操作及びメディア選択操作に応じた出力レベルに調整する。また、ＤＳＰ１１０は、オン操作がなされた場合には、取得された音声信号のうち、２５０（Ｈｚ）領域の出力レベルを０（ｄＢ）（フラット値）以下に調整する。また、ＤＳＰ１１０は、パワーアンプ１１２〜１１５の増幅率を、バランス調整操作及び音量調整操作に応じた増幅率に設定する。
【００１８】
そして、ＤＳＰ１１０は、出力レベルを調整した音声信号をパワーアンプ１１２〜１１５に出力する。
【００１９】
パワーアンプ１１２は、ＤＳＰ１１０から与えられた音声信号を、ＤＳＰ１１０により設定された増幅率で増幅してスピーカ１１６に出力する。パワーアンプ１１３は、ＤＳＰ１１０から与えられた音声信号を、ＤＳＰ１１０により設定された増幅率で増幅してスピーカ１１７に出力する。パワーアンプ１１４は、ＤＳＰ１１０から与えられた音声信号を、ＤＳＰ１１０により設定された増幅率で増幅してスピーカ１１８に出力する。パワーアンプ１１５は、ＤＳＰ１１０から与えられた音声信号を、ＤＳＰ１１０により設定された増幅率で増幅してスピーカ１１９に出力する。
【００２０】
スピーカ１１６〜１１９は、パワーアンプ１１２〜１１５から与えられた音声信号を出力する。スピーカ１１６は、車室内部の右前部に取り付けられ、スピーカ１１７は、車室内部の左前部に取り付けられる。また、スピーカ１１８は、車室内部の右後部に取り付けられる。また、スピーカ１１９は、車室内部の左後部に取り付けられる。
【００２１】
次に、出力レベル調整操作により指定可能なピーク値の範囲について、図２に基づいて説明する。図２は、グラフＡ１〜Ａ８、ａ１〜ａ８を示す説明図である。ここで、グラフＡ１〜Ａ８は、出力レベル調整操作により指定可能なピーク値の範囲を示す。また、グラフａ１〜ａ８は、出力レベルの初期値を示す。また、図２中、「ＢＡＳ」は「低音領域」を意味し、「ＴＲＥ」は「高音領域」を意味する。グラフａ１〜ａ８については、後述する。
【００２２】
音声出力装置１の使用者は、オフ操作を行い、且つ、ＣＤ１０１またはＭＤ１０２を選択する旨のメディア選択操作を行った場合には、グラフＡ１〜グラフＡ２が示すように、低音領域の出力レベル及び高音領域のピーク値をいずれも−１０（ｄＢ）〜＋１０（ｄＢ）の範囲内で指定することが出来る。
【００２３】
また、音声出力装置１の使用者は、オン操作を行い、且つ、ＣＤ１０１またはＭＤ１０２を選択する旨のメディア選択操作を行った場合には、グラフＡ３〜グラフＡ４が示すように、低音領域の出力レベル及び高音領域のピーク値をいずれも０（ｄＢ）〜＋２０（ｄＢ）の範囲内で指定することが出来る。
【００２４】
また、音声出力装置１の使用者は、オフ操作を行い、且つ、ラジオ受信機１０３またはテレビ受信機１０５を選択する旨のメディア選択操作を行った場合には、グラフＡ５〜グラフＡ６が示すように、低音領域の出力レベル及び高音領域のピーク値をいずれも−１４（ｄＢ）〜＋６（ｄＢ）の範囲内で指定することが出来る。
【００２５】
また、音声出力装置１の使用者は、オン操作を行い、且つ、ラジオ受信機１０３またはテレビ受信機１０５を選択する旨のメディア選択操作を行った場合には、グラフＡ７〜グラフＡ８が示すように、低音領域の出力レベル及び高音領域のピーク値をいずれも−１０（ｄＢ）〜＋１０（ｄＢ）の範囲内で指定することが出来る。
【００２６】
次に、ＤＳＰ１１０により調整される出力レベルについて、図３及び図４に基づいて説明する。ここで、図３及び図４は、出力レベルと音声信号の周波数との関係を示すグラフＢ、Ｂ０、Ｃ、Ｃ０を、横軸を音声信号の周波数、縦軸を出力レベルとする平面上に描いた説明図である。
【００２７】
図３に示すように、ＤＳＰ１１０は、オフ操作が行われ、且つ、ＣＤ１０１またはＭＤ１０２を選択する旨のメディア選択操作が行われた場合には、グラフＢに示すように、低音領域及び高音領域のピーク値が出力レベル調整操作により指定されたピーク値に一致するように、出力レベルを調整する。ここで、ＤＳＰ１１０は、出力レベル調整操作が行われない場合には、グラフＢ０に示すように、低音領域及び高音領域のピーク値が０（ｄｂ）となるように、出力レベルを調整する（図２に示すグラフａ１〜ａ２参照）。また、ＤＳＰ１１０は、中音領域（低音領域と高音領域との間の領域）の出力レベルを、低音領域及び高音領域よりも０（ｄＢ）に近い値（または０（ｄＢ））に調整する。
【００２８】
図４に示すように、ＤＳＰ１１０は、オン操作が行われ、且つ、ＣＤ１０１またはＭＤ１０２を選択する旨のメディア選択操作が行われた場合には、グラフＣに示すように、低音領域及び高音領域のピーク値が出力レベル調整操作により指定されたピーク値に一致するように、出力レベルを調整する。ここで、ＤＳＰ１１０は、出力レベル調整操作が行われない場合には、グラフＣ０に示すように、低音領域及び高音領域のピーク値が１０（ｄｂ）となるように、出力レベルを調整する（図２に示すグラフａ３〜ａ４参照）。また、ＤＳＰ１１０は、中音領域の出力レベルを、低音領域及び高音領域よりも０（ｄＢ）に近い値（または０（ｄＢ））に調整し、２５０（Ｈｚ）での出力レベルを０（ｄＢ）以下の値に調整する。これにより、低音領域及び高音領域の最大値（具体的には、ピーク値の最大値）は、グラフＢにおける低音領域及び高音領域の最大値よりも１０（ｄＢ）大きくなる。同様に、低音領域及び高音領域の最小値（具体的には、ピーク値の最小値）は、グラフＢにおける低音領域及び高音領域の最小値よりも１０（ｄＢ）大きくなる。
【００２９】
また、ＤＳＰ１１０は、オフ操作が行われ、且つ、ラジオ受信機１０３またはテレビ受信機１０５を選択する旨のメディア選択操作が行われた場合には、低音領域及び高音領域のピーク値が出力レベル調整操作により指定されたピーク値に一致するように、出力レベルを調整する。ここで、ＤＳＰ１１０は、出力レベル調整操作が行われない場合には、低音領域及び高音領域のピーク値が−４（ｄｂ）となるように、出力レベルを調整する（図２に示すグラフａ５〜ａ６参照）。また、ＤＳＰ１１０は、中音領域の出力レベルを、低音領域及び高音領域よりも０（ｄＢ）に近い値（または０（ｄＢ））に調整する。これにより、低音領域及び高音領域の最大値は、グラフＢにおける低音領域及び高音領域の最大値よりも４（ｄＢ）小さくなる。同様に、低音領域及び高音領域の最小値は、グラフＢにおける低音領域及び高音領域の最小値よりも４（ｄＢ）小さくなる。
【００３０】
また、ＤＳＰ１１０は、オン操作が行われ、且つ、ラジオ受信機１０３またはテレビ受信機１０５を選択する旨のメディア選択操作が行われた場合には、低音領域及び高音領域のピーク値が出力レベル調整操作により指定されたピーク値に一致するように、出力レベルを調整する。ここで、ＤＳＰ１１０は、出力レベル調整操作が行われない場合には、低音領域及び高音領域のピーク値が０（ｄｂ）となるように、出力レベルを調整する（図２に示すグラフａ７〜ａ８参照）。また、ＤＳＰ１１０は、中音領域の出力レベルを、低音領域及び高音領域よりも０（ｄＢ）に近い値（または０（ｄＢ））に調整する。また、ＤＳＰ１１０は、２５０（Ｈｚ）での出力レベルを０（ｄＢ）以下の値に調整する。これにより、低音領域及び高音領域の最大値は、グラフＣにおける低音領域及び高音領域の最大値よりも１０（ｄＢ）小さくなる。同様に、低音領域及び高音領域の最大値は、グラフＣにおける低音領域及び高音領域の最小値よりも１０（ｄＢ）小さくなる。
【００３１】
したがって、出力レベル調整操作が行われない場合、出力レベルは、以下の特徴を有する。即ち、オン操作及び高品質メディアに対応する出力レベルは、オフ操作及び高品質メディアに対応する出力レベルよりも大きく、且つ、低品質メディアに対応する出力レベルよりも大きい。また、オフ操作及び高品質メディアに対応する出力レベルは、オフ操作及び低品質メディアに対応する出力レベルよりも大きい。また、オン操作及び低品質メディアに対応する出力レベルは、オフ操作及び低品質メディアに対応する出力レベルよりも大きい。また、オン操作及び高品質メディアに対応する出力レベルとオフ操作及び高品質メディアに対応する出力レベルとの差（即ち１０（ｄＢ））は、オン操作及び低品質メディアに対応する出力レベルとオフ操作及び低品質メディアに対応する出力レベルとの差（即ち４（ｄＢ））よりも大きい。
【００３２】
なお、中音領域の出力レベルを上述したように調整することとしたのは、音声出力装置１は、中音領域の出力レベルを上述したように調整することで、これらの出力レベルを同じにした場合よりもすっきりした音声信号を出力することが出来るからである。
【００３３】
また、２５０（Ｈｚ）での出力レベルを上述したように調整することとしたのは、２５０（Ｈｚ）での音声信号は、他の周波数領域の音声信号よりもこもって聞こえるので、音声出力装置１は、上述したように調整することで、当該調整を行わない場合よりも音声信号のこもり感を低減することが出来るからである。
【００３４】
次に、音声出力装置１による処理の手順を説明する。音声出力装置１の使用者が音声出力装置１をオンし、スイッチ１０７を操作すると、スイッチ１０７は、当該操作の結果に関する操作信号をマイコン１０８に出力する。
【００３５】
次いで、マイコン１０８は、操作信号に対応する制御信号を表示部１０９及びＤＳＰ１１０に出力する。次いで、表示部１０９は、制御信号に基づいて、スイッチ１０７にてなされた操作の内容を画面表示する。
【００３６】
次いで、ＤＳＰ１１０は、制御信号に基づいて、以下の処理を行う。即ち、ＤＳＰ１１０は、ＣＤ１０１を選択する旨のメディア選択操作がなされた場合には、ＣＤ１０１から音声信号を取得し、ＭＤ１０２を選択する旨のメディア選択操作がなされた場合には、ＭＤ１０２から音声信号を取得する。また、ＤＳＰ１１０は、ラジオ受信機１０３を選択する旨のメディア選択操作がなされた場合には、ラジオ受信機１０３に要求信号を出力し、これに応じてラジオ受信機１０３から与えられた音声信号を取得する。また、ＤＳＰ１１０は、テレビ受信機１０５を選択する旨のメディア選択操作がなされた場合には、テレビ受信機１０５に要求信号を出力し、これに応じてテレビ受信機１０５から与えられた音声信号を取得する。
【００３７】
次いで、ＤＳＰ１１０は、取得された音声信号のうち、低音領域及び高音領域の出力レベルを、オンオフ操作、出力レベル調整操作及びメディア選択操作に応じた出力レベルに調整する。また、ＤＳＰ１１０は、オン操作がなされた場合には、取得された音声信号のうち、２５０（Ｈｚ）領域の出力レベルを０（ｄＢ）以下に調整する。また、ＤＳＰ１１０は、パワーアンプ１１２〜１１５の増幅率を、バランス調整操作及び音量調整操作に応じた増幅率に設定する。
【００３８】
次いで、ＤＳＰ１１０は、出力レベルを調整した音声信号をパワーアンプ１１２〜１１５に出力する。次いで、パワーアンプ１１２は、ＤＳＰ１１０から与えられた音声信号を、ＤＳＰ１１０により設定された増幅率で増幅してスピーカ１１６に出力する。一方、パワーアンプ１１３は、ＤＳＰ１１０から与えられた音声信号を、ＤＳＰ１１０により設定された増幅率で増幅してスピーカ１１７に出力する。一方、パワーアンプ１１４は、ＤＳＰ１１０から与えられた音声信号を、ＤＳＰ１１０により設定された増幅率で増幅してスピーカ１１８に出力する。一方、パワーアンプ１１５は、ＤＳＰ１１０から与えられた音声信号を、ＤＳＰ１１０により設定された増幅率で増幅してスピーカ１１９に出力する。
【００３９】
次いで、スピーカ１１６〜１１９は、パワーアンプ１１２〜１１５から与えられた音声信号を出力する。
【００４０】
以上により、本実施の形態では、音声出力装置１は、メディアから与えられた音声信号を、スイッチ１０７の操作及びメディアの品質に対応する出力レベルで出力する。ここで、オン操作及び高品質メディアに対応する出力レベルは、オフ操作及び高品質メディアに対応する出力レベルよりも大きく、且つ、低品質メディアに対応する出力レベルよりも大きい。
【００４１】
したがって、音声出力装置１は、オン操作が行われた場合には、従来と同様の出力レベルで高品質音声信号を出力することが出来る一方、従来よりも低い出力レベルで低品質音声信号を出力することが出来る。よって、音声出力装置１の使用者は、オン操作を継続する場合であっても、従来よりもノイズを煩わしく感じない。また、音声出力装置１は、高品質音声信号を出力する場合には、従来と同様の効果を得ることが出来る。
【００４２】
また、オフ操作及び高品質メディアに対応する出力レベルは、オフ操作及び低品質メディアに対応する出力レベルよりも大きいので、音声出力装置１は、オフ操作が行われた場合には、従来と同様の出力レベルで高品質音声信号を出力することが出来る一方、従来よりも低い出力レベルで低品質音声信号を出力することが出来る。よって、音声出力装置１の使用者は、オフ操作を継続する場合であっても、従来よりもノイズを煩わしく感じない。また、音声出力装置１は、高品質音声信号を出力する場合には、従来と同様の効果を得ることが出来る。
【００４３】
また、オン操作及び低品質メディアに対応する出力レベルは、オフ操作及び低品質メディアに対応する出力レベルよりも大きい。したがって、オン操作に対応する出力レベルは、メディアの品質によらず、オフ操作に対応する出力レベルよりも大きくなる。これにより、音声出力装置１の使用者は、メディアの品質によらず、オンオフ操作による音声信号の変化を感じることが出来る。
【００４４】
なお、音声出力装置１の使用者が従来よりもノイズを煩わしく感じないようにする技術として、音声出力装置１がメディアの品質に応じて自動的に（具体的には、スイッチ１０７の操作によらずに）出力レベルを調整する技術も考えられる。しかし、この技術には以下の問題点がある。即ち、音声出力装置１の使用者は、出力レベルを調整したい場合、音声出力装置１がどのように出力レベルを調整しているのかを把握しておく必要がある。しかし、この技術では、音声出力装置１は自動的に出力レベルを調整するので、音声出力装置１の使用者にとっては、音声出力装置１がどのように出力レベルを調整するのかを把握するのは容易ではない。したがって、当該技術では、音声出力装置１の使用者が音声出力装置１の操作に戸惑ってしまう可能性がある。
【００４５】
しかし、本実施の形態では、オン操作に対応する出力レベルは、メディアの品質によらず、オフ操作に対応する出力レベルよりも大きくなるので、音声出力装置１の使用者は、音声出力装置１がどのように出力レベルを調整するのかを直感的に把握することが出来る。したがって、音声出力装置１の使用者は、音声出力装置１の操作に戸惑うことなく、出力レベルを調整することができる。
【００４６】
また、オン操作及び高品質メディアに対応する出力レベルとオフ操作及び高品質メディアに対応する出力レベルとの差は、オン操作及び低品質メディアに対応する出力レベルとオフ操作及び低品質メディアに対応する出力レベルとの差よりも大きい。したがって、音声出力装置１の使用者は、高品質音声信号を聞き取る場合には、低品質音声信号を聞き取る場合よりも、オン操作による音声信号の変化をより正確に把握することが出来る。
【００４７】
また、オフ操作及び高品質メディアに対応する出力レベルはフラット値であるので、音声出力装置１は、オフ操作が継続される場合であっても、高品質音声信号を従来と同様の出力レベルで出力することが出来る。
【００４８】
また、音声出力装置１は、出力レベルを上述したように調整する他、出力レベル調整操作に応じて出力レベルを調整するので、音声出力装置１の使用者は、自分の好みに合わせて出力レベルを調整することが出来る。
【００４９】
なお、本実施の形態では、メディアとしてＣＤ１０１、ＭＤ１０２、ラジオ受信機１０３、及びテレビ受信機１０５を使用したが、他のメディア、例えばカセットテープを使用しても良い。また、グラフＡ１〜Ａ８、ａ１〜ａ８、Ｂ、Ｂ０、Ｃ、Ｃ０が示す出力レベルの値は一例であり、音声出力装置１は、出力レベルを他の値に調整しても良い。また、ＤＳＰ１１０は、音声信号として、いわゆる残響音を生成し、パワーアンプ部１１１に出力しても良い。また、音声出力装置１は車両に搭載されるものでなくても良い。その他、本発明の趣旨を逸脱しない範囲で本実施の形態を変更しても良いことは勿論である。
【００５０】
なお、本実施の形態では、スイッチ１０７が特許請求の範囲記載の「スイッチ」に対応し、ＤＳＰ１１０が特許請求の範囲記載の「出力手段」に対応する。
【図面の簡単な説明】
【００５１】
【図１】本発明の一実施の形態に係る音声出力装置の構成を示すブロック図である。
【図２】出力レベル調整操作により指定可能な出力レベルの値を示す説明図である。
【図３】ＤＳＰにより調整される出力レベルを示す説明図である。
【図４】ＤＳＰにより調整される出力レベルを示す説明図である。
【符号の説明】
【００５２】
１…音声出力装置
１０１…ＣＤ
１０２…ＭＤ
１０３…ラジオ受信機
１０４…アンテナ
１０５…テレビ受信機
１０６…アンテナ
１０７…スイッチ
１０８…マイコン
１０９…表示部
１１０…ＤＳＰ
１１１…パワーアンプ部
１１２〜１１５…パワーアンプ
１１６〜１１９…スピーカ
【図１】
0004635479.tif 000002
【図２】
0004635479.tif 000003
【図３】
0004635479.tif 000004
【図４】
0004635479.tif 000005